(57)【要約】【課題】回転清掃体の清掃部材に糸屑や毛髪等の塵埃が絡み付くことを確実に防止できること。【解決手段】底面側に吸込口２８が開口されたケース体３４と、このケース体内に吸込口２８に臨ませて回転駆動可能に配置された回転清掃体３０とを有する吸込口本体部３１を備えた吸込口体２６において、回転清掃体３０は、回転駆動される回転軸４３と、この回転軸の外周部に、回転軸の軸方向に沿い且つ回転軸の周方向に複数本設けられた塵埃除去用の清掃ブラシ４４と、回転軸４３の外周部に、回転軸の軸方向に沿い且つ回転軸の周方向で清掃ブラシ４４間に複数本設けられ、先端部４５Ｂの形状が長手方向に沿って傾斜して形成されて清掃ブラシ４４への塵埃の絡み付きを防止する絡み付き防止ブレード４５と、を有するものである。【選択図】  図３
2011188951.tif 000002
【特許請求の範囲】
【請求項１】
底面側に吸込口が開口されたケース体と、このケース体内に前記吸込口に臨ませて回転駆動可能に配置された回転清掃体とを有する吸込口本体部を備えた吸込口体において、
前記回転清掃体は、
回転駆動される回転軸と、
この回転軸の外周部に、前記回転軸の軸方向に沿い且つ前記回転軸の周方向に複数本設けられた塵埃除去用の清掃部材と、
前記回転軸の外周部に、前記回転軸の軸方向に沿い且つ前記回転軸の周方向で前記清掃部材間に複数本設けられ、先端形状が長手方向に沿って傾斜して形成されて前記清掃部材への塵埃の絡み付きを防止する絡み付き防止部材と、を有することを特徴とする吸込口体。
【請求項２】
前記絡み付き防止部材は、先端形状が長手方向に沿って略同一の傾斜角度で傾斜して形成されたことを特徴とする請求項１に記載の吸込口体。
【請求項３】
前記絡み付き防止部材は、先端形状が長手方向中央位置へ向かって低くなるよう両端から傾斜して形成されたことを特徴とする請求項１に記載の吸込口体。
【請求項４】
前記絡み付き防止部材は、清掃部材に隣接し、且つ前記清掃部材に対し回転清掃体の回転方向前方側に配置されたことを特徴とする請求項１に記載の吸込口体。
【請求項５】
請求項１乃至４のいずれか１項に記載の吸込口体を備えた電気掃除機。
【発明の詳細な説明】
【技術分野】
【０００１】
本発明は、回転駆動可能な回転清掃体を備えた吸込口体、及びこの吸込口体を備えた電気掃除機に関する。
【背景技術】
【０００２】
従来の電気掃除機の吸込口体には、ブラシ毛またはフェルト等からなる清掃部材が設けられた回転清掃体を備え、この回転清掃体を回転させながら、例えば絨毯などの被掃除面上の塵埃を掻き取り、吸引して掃除するものが知られている。
【０００３】
また、特許文献１に記載の電気掃除機には、吸込口体（吸込具ケース）の回転清掃体（回転ブラシ）が、フェルト製の清掃部材（ブラシ体）の根元側に塩化ビニル製のブラシ体を備え、この塩化ビニル製のブラシ体によってフェルト製のブラシ体に糸屑や毛髪等の塵埃が絡み付くことを防止するものが開示されている。
【先行技術文献】
【特許文献】
【０００４】
【特許文献１】特開２００５−１３５２５号公報
【発明の概要】
【発明が解決しようとする課題】
【０００５】
ところが、特許文献１に記載の吸込口体の回転清掃体では、塩化ビニル製のブラシ体の先端形状が回転清掃体の軸心に平行に形成されているため、回転清掃体のフェルト製のブラシ体に巻き付いた糸屑や毛髪等は一箇所に集まり絡みあってしまう。この結果、フェルト製のブラシ体（清掃部材）に糸屑や毛髪等の塵埃が絡み付くことを十分に防止することができない。
【０００６】
本発明の目的は、上述の事情を考慮してなされたものであり、回転清掃体の清掃部材に糸屑や毛髪等の塵埃が絡み付くことを確実に防止できる吸込口体及び電気掃除機を提供することにある。
【課題を解決するための手段】
【０００７】
本発明に係る吸込口体は、底面側に吸込口が開口されたケース体と、このケース体内に前記吸込口に臨ませて回転駆動可能に配置された回転清掃体とを有する吸込口本体部を備えた吸込口体において、前記回転清掃体は、回転駆動される回転軸と、この回転軸の外周部に、前記回転軸の軸方向に沿い且つ前記回転軸の周方向に複数本設けられた塵埃除去用の清掃部材と、前記回転軸の外周部に、前記回転軸の軸方向に沿い且つ前記回転軸の周方向で前記清掃部材間に複数本設けられ、先端形状が長手方向に沿って傾斜して形成されて前記清掃部材への塵埃の絡み付きを防止する絡み付き防止部材と、を有することを特徴とするものである。
【０００８】
また、本発明に係る電気掃除機は、前記発明の吸込口体を備えたものである。
【発明の効果】
【０００９】
本発明に係る吸込口体、及びこの吸込口体を備えた電気掃除機によれば、回転清掃体には、回転軸の外周部における清掃部材間に、先端形状が長手方向に沿って傾斜して形成されて清掃部材への塵埃の絡み付きを防止する絡み付き防止部材が設けられたので、回転清掃体の清掃部材に糸屑や毛髪等の塵埃が絡み付くことを確実に防止できる。
【図面の簡単な説明】
【００１０】
【図１】本発明に係る吸込口体の第１の実施の形態が適用された電気掃除機の全体外観を示す斜視図。
【図２】図１の吸込口体を示す斜視図。
【図３】図２のIII−III線に沿う断面図。
【図４】図３の回転清掃体を示す斜視図。
【図５】図４のV−V線に沿う断面図。
【図６】（Ａ）は図４及び図５の絡み付き防止ブレードを示す正面図、（Ｂ）は、図６（Ａ）の絡み付き防止ブレードの比較形態を示す正面図。
【図７】本発明に係る吸込口体の第２の実施の形態における回転清掃体の絡み付き防止ブレードを示す正面図。
【図８】本発明に係る吸込口体の第３の実施の形態における回転清掃体を示す斜視図。
【図９】図８のIX−IX線に沿う断面図。
【発明を実施するための形態】
【００１１】
以下、本発明を実施するための最良の形態を、図面に基づき説明する。但し、本発明は、これらの実施の形態に限定されるものではない。
【００１２】
［Ａ］第１の実施の形態（図１〜図６）
図１は、本発明に係る吸込口体の第１の実施の形態が適用された電気掃除機の全体外観を示す斜視図である。図２は、図１の吸込口体を示す斜視図である。
【００１３】
図１に示す電気掃除機１は、いわゆるキャニスタ型の電気掃除機である。この電気掃除機１は、被掃除面上に配置される掃除機本体２と、この掃除機本体２に着脱自在に接続された管部３とを備える。
【００１４】
掃除機本体２は、本体ケース５と、この本体ケース５の両側方に軸支された一対の車輪６と、本体ケース５に設けられた集塵室１０と、この集塵室１０に連通された電動送風機８と、電動送風機８の駆動を制御する本体制御部９と、電動送風機８に電力を導く電源コード１１とを備える。
【００１５】
本体ケース５は、集塵室１０に連通された本体接続口１２を有する。この集塵室１０には集塵部７が収容される。この集塵部７は、電動送風機８が発生した負圧によって電気掃除機１に吸い込まれる塵埃を含んだ空気（含塵空気）から塵埃を分離し捕集する。また、車輪６は、掃除機本体２の走行用の大径の走行輪である。更に、電源コード１１は自由端部に電源プラグ１４を備える。
【００１６】
本体制御部９は、予め設定された複数の運転モードを有する。それぞれの運転モードは、管部３から入力される操作信号に対応付けられると共に、電動送風機８への出力値を互いに異ならせて設定する。そして、本体制御部９は、管部３から入力される操作信号に対応させて複数の運転モードから任意の運転モードを択一的に選択し電動送風機８を駆動させる。
【００１７】
管部３は、電動送風機８の運転にともない掃除機本体２から作用する負圧によって、被掃除面から含塵空気を吸い込み、掃除機本体２に案内する。管部３は、掃除機本体２の本体接続口１２に着脱自在に接続され、互いに連通して接続された接続管１９、集塵ホース２１及び手元操作管２２を備える集塵ホース体２０と、この集塵ホース体２０の手元操作管２２に着脱自在に接続されて連通される延長管２５と、この延長管２５に着脱自在に接続されて連通される吸込口体２６とを備える。
【００１８】
集塵ホース体２０の接続管１９が、掃除機本体２の本体接続口１２に着脱自在に接続される。また、集塵ホース２１は、可撓性を有する細長略円筒状に形成される。更に、手元操作管２２には把持部２３が突設され、この把持部２３に操作部２４が設けられる。把持部２３は、電気掃除機１のユーザが把持して電気掃除機１を操作するものである。この把持部２３は、手元操作管２２の他端部側から突設され、手元操作管２２の一端部に向けて湾曲される。
【００１９】
操作部２４は、それぞれの運転モードに対応したスイッチを備える。具体的には、操作部２４は、電動送風機８の運転の停止を操作する停止スイッチ２４Ａと、電動送風機８の運転の開始を操作する起動スイッチ２４Ｂとを備える。起動スイッチ２４Ｂは、弱運転スイッチ（図示省略）、中運転スイッチ（図示省略）及び強運転スイッチ（図示省略）を別個に備える構成にしても良い。電気掃除機１のユーザは、操作部２４を操作して電動送風機８の運転モードを択一的に選択する。
【００２０】
延長管２５は、伸縮可能な細長略円筒状に形成される。この延長管２５は、複数の筒状体を重ね合わせてテレスコピック構造に構成される。延長管２５は、一端が集塵ホース体２０の手元操作管２２の他端に着脱自在に接続され、集塵ホース体２０（手元操作管２２、集塵ホース２１及び接続管１９）を介して掃除機本体２の内部に連通される。
【００２１】
吸込口体２６は、延長管２５の他端に着脱自在に接続され、延長管２５及び集塵ホース体２０を介して掃除機本体２の内部に連通される。また、吸込口体２６は、木床やカーペットなどの被掃除面上を走行可能に構成されると共に、走行状態において被掃除面に対向する底面側に吸込口２８を有する。この吸込口体２６については後に詳説する。
【００２２】
電気掃除機１は、起動スイッチ２４Ｂが操作されると掃除機本体２内の電動送風機８を駆動させ、掃除機本体２の集塵室１０内に負圧（吸込負圧）を作用させる。この負圧は、本体接続口１２から集塵ホース体２０及び延長管２５を経て吸込口体２６の吸込口２８に作用する。吸込口２８に作用した負圧によって、電気掃除機１は、被掃除面に溜まった塵埃を空気と共に吸込口２８から吸い込んで被掃除面を掃除する。吸込口２８から吸い込まれた含塵空気は、集塵室１０内に収容された集塵部７によって空気と塵埃とに分離される。分離された塵埃は、集塵部７にて捕集される。他方、分離された空気は、集塵部７を通過し電動送風機８に吸い込まれて掃除機本体２から排気される。
【００２３】
図２及び図３に示すように、吸込口体２６は略直方体形状の箱状の吸込口本体部３１と、この吸込口本体部３１に対して多軸構造の接続管部３２とを備える。
【００２４】
ここで、吸込口体２６の前進方向（図２中、実線矢Ｘ）を前方、その反対方向を後方とする。また、吸込口体２６を床面などの略水平な被掃除面に配置させた状態で、後から前を見たときの左側（図２中、実線矢Ｙ）を左方、その反対方向を右方とする。更に、吸込口体２６の前後方向及び左右方向に直交する右手座標系の＋Ｚ方向を上方とし、その反対方向を下方とする。
【００２５】
吸込口本体部３１は、底面側に吸込口２８が開口され、この吸込口２８に連通して吸込室３３が形成されたケース体３４と、このケース体３４の吸込室３４内で吸込口２８に臨ませて回転駆動可能に配置された回転清掃体３０とを備えて構成される。
【００２６】
ケース体３４は、平面視において前後方向に短辺を、左右方向に長辺を有し、下ケース３５、上ケース３６及びカバー３７を備えてなる。下ケース３５は、上方が開口された箱形状に構成される。この下ケース３５の後上半部を上ケース３６が覆い、下ケース３５の前上半部をカバー３７が覆う。このカバー３７と下ケース３５とにより吸込室３３が、ケース体３４の左右方向に幅広く区画して形成される。
【００２７】
ケース体３４に設けられる吸込口２８は、互いに連続する底面吸込口３８と前側吸込口３９とを備えてなる。底面吸込口３８は、ケース体３４の底面、つまり下ケース３５の底面３５Ａに、左右方向に延びる四角形状に開口される。また、前側吸込口３９は、底面吸込口３８の前側に連続し、カバー３７の下縁に仕切られて形成される。掃除の際に、吸込口体２６が被掃除面に載置されたとき、底面吸込口３８が被掃除面に対向し、前側吸込口３９が吸込口体２６の前方に指向される。
【００２８】
これらの底面吸込口３８及び前側吸込口３９を経て吸込室３３が外部空間に連通される。他方、この吸込室３３は、下ケース３５と上ケース３６との間に配置された案内管４０を介して接続管部３２に連通される。
【００２９】
ケース体３４の吸込室３３内に配置された回転清掃体３０は、ケース体３４に内蔵された図示しない電動モータなどにより、その駆動力が伝動ベルト（不図示）等を介して伝達されて、一方向の回転方向Ａに回転駆動される。この回転清掃体３０の回転により、清掃ブラシ４４（後述）の作用で被掃除面上の塵埃が掻き取られ、吸込口２８（底面吸込口３８及び前側吸込口３９）から効果的に吸い込まれる。この回転清掃体３０については後に詳説する。
【００３０】
接続管部３２は、吸込口本体部３１の後部側の幅方向略中央部に配置される。また、接続管部３２は、吸込口本体部３１に軸支された回転接続管部４１と、回転接続管部４１に軸支された揺動接続管部４２とを備える。
【００３１】
回転接続管部４１は、吸込口本体部３１に、吸込口体２６の前後方向に沿う軸（Ｘ軸に一致する軸またはＸ軸に平行な軸）回りに回動自在に軸支される。
【００３２】
揺動接続管部４２は、回転接続管部４１に揺動自在に設けられる。すなわち、揺動接続管部４２は、回転接続管部４１の回転軸心（Ｘ軸に一致する軸心またはＸ軸に平行な軸心）に直交する軸心回りに揺動自在に軸支される。また、揺動接続管部４２の自由端部は、延長管２５（図１）の自由端部に着脱自在に接続される。
【００３３】
これにより、吸込口体２６は、延長管２５から接続管部３２を経てケース体３４の吸込室３３に負圧を作用させる。この負圧は、ケース体３４の吸込口２８（底面吸込口３８及び前側吸込口３９）に作用し、被掃除面上の塵埃を空気と共に吸込室３３に吸い込み、この吸込室３３に吸い込まれた含塵空気は、接続管部３２を経て延長管２５へ導入される。
【００３４】
さて、前記回転清掃体３０は、ケース体３４の下ケース３５に回転自在に軸支されて、電動モータなどにより回転駆動される回転軸４３と、この回転軸４３の外周部に複数本設けられた清掃部材としての清掃ブラシ４４と、回転軸４３の外周部に複数本設けられた絡み付き防止部材としての絡み付き防止ブレード４５とを有して構成される。
【００３５】
図４及び図５に示すように、回転軸４３は、略円柱形状または略円筒形状（本実施の形態では略円柱形状）に構成される。この回転軸４３の外周部に、清掃ブラシ４４保持用の溝部４６と、絡み付き防止ブレード４５保持用の溝部４７とが、回転軸４３の周方向に交互にそれぞれ略等間隔に、且つ回転軸４３の軸方向に沿ってそれぞれ螺旋形状に形成される。
【００３６】
清掃ブラシ４４は、ブラシ毛またはフェルト等によって帯状に形成され、基端側が回転軸４３における溝部４６の溝４６Ａに保持される。これにより、清掃ブラシ４４は、回転軸４３の外周部において、回転軸４３の周方向に複数本設けられ、それぞれが回転軸４３の軸方向に沿って螺旋帯形状で、且つ回転軸４３の径方向に突出して設けられる。この清掃ブラシ４４によって、回転軸４３の回転時に被掃除面上の塵埃、特に糸屑や毛髪等の塵埃が掻き取られて除去される。
【００３７】
また、絡み付き防止ブレード４５は、ゴムや軟質樹脂などにより帯状に形成され、基端部が回転軸４３における溝部４７の溝４７Ａに保持される。これにより、絡み付き防止ブレード４５は、回転軸４３の外周部において、回転軸４３の周方向に略等間隔で清掃ブラシ４４間に複数本設けられ、それぞれが回転軸４３の軸方向に沿って螺旋帯形状で、且つ回転軸４３の径方向に突出して設けられる。この絡み付き防止ブレード４５の突出量は清掃ブラシ４４の突出量よりも少なく設けられる。
【００３８】
更に、絡み付き防止ブレード４５は、図６（Ａ）に示すように、上記基端部４５Ａと反対側の先端部４５Ｂの形状が、絡み付き防止ブレード４５の長手方向に沿って略同一の傾斜角度θで傾斜して形成される。これにより、絡み付き防止ブレード４５の基端部４５Ａと先端部４５Ｂ間の高さ寸法Ｈ１が、絡み付き防止ブレード４５の長手方向に沿って漸次変化して構成される。
【００３９】
仮に、絡み付き防止ブレード４５の先端部４５Ｂが、図６（Ｂ）に示すように基端部４５Ａに平行に形成された場合には、糸屑や毛髪等の塵埃４８が１箇所に集中して回転清掃体３０の清掃ブラシ４４及び絡み付き防止ブレード４５に巻き付くことになる。これ対し、絡み付き防止ブレード４５の先端部４５Ｂが上述のように傾斜して形成されると、糸屑や毛髪等の塵埃４８は、例えば回転清掃体３０の清掃ブラシ４４及び絡み付き防止ブレード４５に螺旋状に巻き付き、１箇所に集まって巻き付くことが防止される。このため、上記糸屑などの塵埃２８は、吸込口２８から吸込室３３へ吸引される吸引風によって移動し易くなり、回転清掃体３０の清掃ブラシ４１への絡み付きが防止される。
【００４０】
以上のように構成されたことから、本実施の形態によれば次の効果を奏する。
【００４１】
吸込口体２６の回転清掃体３０には、回転軸４３の外周部における清掃ブラシ４４間に、先端部４５Ｂの形状が長手方向に沿って傾斜して形成されて清掃ブラシ４４への塵埃４８（糸屑や毛髪等）の絡み付きを防止する絡み付き防止ブレード４５が設けられている。このため、糸屑などの塵埃４８は、回転清掃体３０の清掃ブラシ４４及び絡み付き防止ブレード４５の１箇所に集まって巻き付くことがなく、例えば螺旋状に巻き付くことで、ケース体３４の吸込口２８から吸込室３３へ吸引される吸引風によって移動し易くなる。この結果、回転清掃体３０の清掃ブラシ４４による糸屑などの塵埃４８の掻き取り機能を確保しつつ、回転清掃体３０の清掃ブラシ４４に糸屑などの塵埃４８が絡み付くことを確実に防止できる。
【００４２】
［Ｂ］第２の実施の形態（図７）
図７は、本発明に係る吸込口体の第２の実施の形態における回転清掃体の絡み付き防止ブレードを示す正面図である。この第２の実施の形態において、前記第１の実施の形態と同様な部分については、同一の符号を付すことにより説明を簡略化し、または省略する。
【００４３】
本実施の形態の電気掃除機の吸込口体が前記第１の実施の形態の吸込口体２６と異なる点は、回転清掃体５２の絡み付き防止部材としての絡み付き防止ブレード５３の先端形状である。
【００４４】
つまり、本実施の形態の絡み付き防止ブレード５３は、基端部５３Ａと反対側の先端部５３Ｂの形状が、長手方向Ｌの中央位置へ向かって低くなるように、長手方向Ｌの両端から傾斜して形成されている。従って、絡み付き防止ブレード５３の基端部５３Ａと先端部５３Ｂとの高さ寸法Ｈ２は、絡み付き防止ブレード５３の長手方向Ｌの中央位置で最も低くなるように、長手方向Ｌの両端から漸次変化して形成される。
【００４５】
絡み付き防止ブレード５３の長手方向Ｌの中央位置、つまり回転清掃体５２の軸方向中央位置には案内管４０（図３）が配置されて、ケース体３４の吸込口２８から吸引される吸引風が集中し、吸込力が強い箇所である。このため、回転清掃体５２の清掃ブラシ４４及び絡み付き防止ブレード５３に巻き付いた糸屑や毛髪等の塵埃４８は、上述の強い吸込力によって絡み付き防止ブレード５３の中央位置、つまり回転清掃体５２の中央位置へ移動して、回転清掃体５２の清掃ブラシ４４への絡み付きが防止される。
【００４６】
この結果、本実施の形態においても、回転清掃体５２の清掃ブラシ４４による糸屑や毛髪などの塵埃４８の掻き取り機能を確保しつつ、この清掃ブラシ４４への糸屑などの塵埃４８の絡み付きを確実に防止できる。
【００４７】
［Ｃ］第３の実施の形態（図８、図９）
図８は、本発明に係る吸込口体の第３の実施の形態における回転清掃体を示す斜視図である。この第３の実施の形態において、前記第１の実施の形態と同様な部分については、同一の符号を付すことにより説明を簡略化し、または省略する。
【００４８】
本実施の形態の電気掃除機の吸込口体が前記第１の実施の形態の吸込口体２６と異なる点は、回転清掃体６２における回転軸６３の外周に清掃ブラシ４４及び絡み付き防止ブレード４５が、回転軸６３の周方向に隣接して配置された点である。
【００４９】
つまり、回転軸６３の外周部には、清掃ブラシ４４及び絡み付き防止ブレード４５保持用の溝部６４が、回転軸６３の周方向に略等間隔に複数形成され、且つそれぞれの溝部６４が回転軸６３の軸方向に沿って螺旋形状に形成される。そして、それぞれの溝部６４の同一の溝６４Ａ内に、清掃ブラシ４４と絡み付き防止ブレード４５の基端部４４Ａ及び４５Ａが別体状態で保持される。このとき、絡み付き防止ブレード４５は、清掃ブラシ４４に対し、回転清掃体６２の回転方向Ａの前方側に位置づけられる。
【００５０】
従って、本実施の形態によれば、清掃ブラシ４４と、先端が傾斜して形成された絡み付き防止ブレード４５とが隣接して配置されたので、清掃ブラシ４４にて掻き取られた糸屑などの塵埃４８が絡み付き防止ブレード４５により根元部まで侵入することが防止される。更に、絡み付き防止ブレード４５の傾斜先端形状によって、清掃ブラシ４４に掻き取られた糸屑などの塵埃４８が１箇所に巻き付くことが防止される。これらの結果、清掃ブラシ４４により掻き取られた糸屑などの塵埃４８が、ケース体３４の吸込口２８から吸引される吸引風によって移動し易くなり、清掃ブラシ４４に絡み付くことを確実に防止できる。
【００５１】
また、絡み付き防止ブレード４５が清掃ブラシ４４に対し回転軸６３の回転方向Ａの前方側に配置されているので、回転軸６３の回転時に被掃除面に接触する清掃ブラシ４４は、図９の２点鎖線に示すように、絡み付き防止ブレード４５により阻害されることなく撓む。このように、清掃ブラシ４４の柔軟性を損なうことがないので、回転清掃体６２による糸屑などの塵埃４８の掻き取り機能を十分に確保できる。
【００５２】
更に、清掃ブラシ４４と絡み付き防止ブレード４５とは、回転軸６３における溝部６４の同一の溝６４Ａに別体状態で保持される。このため、清掃ブラシ４４と絡み付き防止ブレード４５とを予め一体化する工程が不要になり、この結果、回転清掃体６２の組立性を向上させることができる。
【符号の説明】
【００５３】
１  電気掃除機
２６  吸込口体
２８  吸込口
３０  回転清掃体
３１  吸込口本体部
３４  ケース体
３８  底面吸込口
３９  前面吸込口
４３  回転軸
４４  清掃ブラシ（清掃部材）
４５  絡み付き防止ブレード（絡み付き防止部材）
４５Ｂ  絡み付き防止ブレードの先端部
５２  回転清掃体
５３  絡み付き防止ブレード（絡み付き防止部材）
５３Ｂ  絡み付き防止ブレードの先端部
６２  回転清掃体
６４  溝部
Ａ  回転清掃体の回転方向
【図１】
2011188951.tif 000003
【図２】
2011188951.tif 000004
【図３】
2011188951.tif 000005
【図４】
2011188951.tif 000006
【図５】
2011188951.tif 000007
【図６】
2011188951.tif 000008
【図７】
2011188951.tif 000009
【図８】
2011188951.tif 000010
【図９】
2011188951.tif 000011